(57)【要約】【課題】インターネットカラオケ選曲装置によって新しいタイプの娯楽サービスを提供すること。【解決手段】従来のカラオケを最新インターネット直列伝送技術でユーザーの客間へ持ち込むことを目的とし、この考案では、直列伝送テクノロジーの特性を十分活かし、中央制御メカニズムによって伴奏テープの配信を処理し、今までの家庭式カラオケでは手動で更新しなければならない面倒を省き、新曲も中央制御で直ちに更新することができる。このお好みカラオケチャンネル・お楽しみカラオケチャンネルのフラットホームでは、料金計算メカニズムによって商業モード運営の便利さに合わせ、曲単位の料金計算や月決め料金計算など多種の料金計算方式でオンラインチケット注文を行い、ユーザーは在宅のまま楽々と支払いを行い、歌うのも、支払うのも、自宅で完成することができる、この考案によって家庭娯楽を楽しむ便利さを大幅に向上させることができる。【選択図】図１
0003129606.tif 000002
【実用新案登録請求の範囲】
【請求項１】
インターネットカラオケ選曲装置であって、デジタル・セットトップボックスと、赤外線リモートコントローラーと、ホームページ・サーバーと、アプリケーション・サーバーと、直列伝送サーバーと、データベースと、を含み、
前記デジタル・セットトップボックスは、ホームページ・サーバー及び直列伝送サーバーと接続し、且つユーザーが入力した信号を受け取り、選曲・キーチェンジ及び自動歌声ガイドメロディーを支援する機能を有し、
前記赤外線リモートコントローラーは、指令を前記デジタル・セットトップボックスに伝達して選曲・検索記録・チケット注文・プレゼント曲のリクエスト・歌声ガイドメロディー・キーチェンジ等の動作を行う機能を有し、
前記ホームページ・サーバーは、インターネットで前記デジタル・セットトップボックスから発送されたＨＴＴＰ請求を受け取り、ＨＴＴＰ応答を前記デジタル・セットトップボックスへ提供し、或いは前記請求をアプリケーション・サーバーへ導く機能を有し、
前記アプリケーション・サーバーは、ホームページ・サーバーからきた請求を受け取り、要求された情報をデータベースから取り出して、その内容をインターネットで前記デジタル・セットトップボックスへ伝送する機能を有し、
前記直列伝送サーバーは、前記デジタル・セットトップボックスからの映像請求を受け取り、映像を直列伝送技術によってデジタル・セットトップボックスへ伝送して、視聴者に見せる機能を有し、
前記データベースは、ユーザーのデータとチケット注文記録と歌曲情報及び選曲記録を保存して、前記アプリケーション・サーバーからのアクセスに備える機能を有することを特徴とする、
インターネットカラオケ選曲装置。
【請求項２】
それぞれユニキャスト及びマルチキャストの二つの技術を利用し、従来とは異なるリクエスト及び配信のメカニズムによってお好みインターネットカラオケ選曲チャンネルと、お楽しみカラオケチャンネルの二つに分けられることを特徴とする、請求項１に記載のインターネットカラオケ選曲装置。
【請求項３】
前記お好みインターネットカラオケ選曲チャンネルには、ＥＰＧサブシステムと、管理サブシステムと、を含み、デジタル・セットトップボックスを起動すると、デジタル・セットトップボックスはネットワークを通じてインターネット・サーバーへ連結すると共に自身のＭＡＣアドレスを伝送し、インターネット・サーバーはこの情報をアプリケーション・サーバーへ導き、アプリケーション・サーバーはこの情報をデータベースに保存することによってユーザーを識別することを特徴とする、請求項２に記載のお好みインターネットカラオケ選曲装置。
【請求項４】
前記ＥＰＧサブシステムには、
オンライン・リクエスト手段と、歌いながら選曲し、映像の混合調整を行う手段と、オンライン・チケット注文手段と、歌声ガイドメロディー手段と、キーチェンジ手段と、プレゼント曲リクエスト手段と、を含み、
前記歌いながら選曲し、映像の混合調整を行う手段は、アルファブレンディング技術を運用したお好み歌集メニューによってあらわされ、当該手段にはお好み歌曲追加機能とお好み歌曲のダウンロード機能を有し、
前記オンライン・チケット注文手段は、商業運営の都合にあわせて、チケット注文モードを設計し、日割り制と、月決め制と、曲単位料金計算制など三つの制度を選択可能な機能を有し、
前記歌声ガイドメロディー手段は、ユーザーがリモコンを通じて歌声ガイドやキーチェンジを選択することができる機能を有し、
前記プレゼント曲リクエスト手段は、管理サブシステムにおいて、取得した映像を中央管理によって特定の歌曲としてメタデータを作成する機能を有することを特徴とする、
請求項３に記載のインターネットカラオケ選曲装置。
【請求項５】
前記カラオケお楽しみチャンネルは、インターネット・マルチキャスト・メカニズムを利用して、すべてのユーザーに同時に同じチャンネルのお楽しみ映像を見せ、すべてのユーザーが共同の歌曲放送リストを擁し、単一のチャンネルで同時に大量のユーザーに対してサービスを行い、或るヒット曲にたいして、多くの人が同時にリクエストした場合、特定のバンドワイズを占用するだけで、インターネットのリソースを十分利用することができることを特徴とする、請求項２に記載のインターネットカラオケ選曲装置。
【考案の詳細な説明】
【技術分野】
【０００１】
本考案は、インターネットを通じて直列伝送技術によってカラオケの映像をユーザーの家へ送り、テレビで歌曲を選曲できるインタラクティブなカラオケ選曲装置に関するものである。
【背景技術】
【０００２】
従来の家庭式カラオケは、いちいち手動で選曲しなければならず、面倒である。
【考案の開示】
【考案が解決しようとする課題】
【０００３】
本考案の主要目的は、インターネットカラオケ選曲装置を提供し、ネットワークラインの連結によって、ユーザーが自宅でテレビを通じて選曲し、思う存分歌を楽しめるようにすることにある。
【０００４】
本考案のもう一つの目的は、カラオケ映像を直列方式で伝送し、いかなるハードディスクのスペースも使用せず、コンテンツのサプライヤーも映像の海賊版問題を心配する必要がなく、豊富な楽曲を提供して、ユーザーが在宅のまま歌を楽しめるようにすることにある。
【０００５】
また、本考案のもう一つの目的は、新しい形態の娯楽サービスを提供し、従来のカラオケを最新インターネット直列伝送技術によってユーザーの客間へ持ち込み、従来カラオケのキーチェンジ、歌声ガイドメロディー、分類選曲など各項機能のほかに、更に直列伝送テクノロジーの特性を十分に活かし、内容配信のサービス・メカニズムを提供し、伴奏テープは専任者によって統一管理・更新され、中央制御のメカニズムによって配信処理を行い、従来の家庭式カラオケの手動更新の手間を省き、新曲も中央制御で即座に更新できるようにする。料金の計算メカニズムは、商業モード運営の都合に合わせて、曲単位計算或いは月ぎめ計算など多種の計算方式でオンラインチケット注文を行うことができ、ユーザーは在宅のまま、楽々と支払いを行い、歌うのも、支払うのも、自宅で完成することができ、本考案を利用することによって、家庭娯楽を楽しむ便利さを大幅に向上させるようにする。
【課題を解決するための手段】
【０００６】
本考案は、インターネットカラオケ選曲装置であって、デジタル・セットトップボックスと、赤外線リモートコントローラーと、ホームページ・サーバーと、アプリケーション・サーバーと、直列伝送サーバーと、データベースと、を含み、前記デジタル・セットトップボックスは、ホームページ・サーバー及び直列伝送サーバーとのコミュニケーションを担当し、且つユーザーが入力した信号を受け取り、選曲・キーチェンジ及び自動歌声ガイドメロディーを支援し、コミュニケーションの中枢的役割を果たし、前記赤外線リモートコントローラーは、指令を前記デジタル・セットトップボックスに伝達して選曲・検索記録・チケット注文・プレゼント曲のリクエスト・歌声ガイドメロディー・キーチェンジ等の機能を果たし、前記ホームページ・サーバーは、インターネットで前記デジタル・セットトップボックスから発送されたＨＴＴＰ請求を受け取り、ＨＴＴＰ応答を前記デジタル・セットトップボックスへ提供し、或いは前記請求をアプリケーション・サーバーへ導くことができ、前記アプリケーション・サーバーは、ホームページ・サーバーからきた請求を受け取り、要求された情報をデータベースから取り出し、その内容をインターネットで前記デジタル・セットトップボックスへ伝送し、前記直列伝送サーバーは、前記デジタル・セットトップボックスからの映像請求を受け取り、映像を直列伝送技術によってデジタル・セットトップボックスへ伝送し、ユーザーに見せ、前記データベースは、ユーザーのデータとチケット注文記録と歌曲情報及び選曲記録を保存して、前記アプリケーション・サーバーからのアクセスに備え、そのデータを保存する。
【０００７】
すなわち、本願の第１考案は、インターネットカラオケ選曲装置であって、デジタル・セットトップボックスと、赤外線リモートコントローラーと、ホームページ・サーバーと、アプリケーション・サーバーと、直列伝送サーバーと、データベースと、を含み、前記デジタル・セットトップボックスは、ホームページ・サーバー及び直列伝送サーバーと接続し、且つユーザーが入力した信号を受け取り、選曲・キーチェンジ及び自動歌声ガイドメロディーを支援する機能を有し、前記赤外線リモートコントローラーは、指令を前記デジタル・セットトップボックスに伝達して選曲・検索記録・チケット注文・プレゼント曲のリクエスト・歌声ガイドメロディー・キーチェンジ等の動作を行う機能を有し、前記ホームページ・サーバーは、インターネットで前記デジタル・セットトップボックスから発送されたＨＴＴＰ請求を受け取り、ＨＴＴＰ応答を前記デジタル・セットトップボックスへ提供し、或いは前記請求をアプリケーション・サーバーへ導く機能を有し、前記アプリケーション・サーバーは、ホームページ・サーバーからきた請求を受け取り、要求された情報をデータベースから取り出して、その内容をインターネットで前記デジタル・セットトップボックスへ伝送する機能を有し、前記直列伝送サーバーは、前記デジタル・セットトップボックスからの映像請求を受け取り、映像を直列伝送技術によってデジタル・セットトップボックスへ伝送して、視聴者に見せる機能を有し、前記データベースは、ユーザーのデータとチケット注文記録と歌曲情報及び選曲記録を保存して、前記アプリケーション・サーバーからのアクセスに備える機能を有することを特徴とする、インターネットカラオケ選曲装置であることを要旨としている。
【０００８】
また、本願の第２考案は、それぞれユニキャスト及びマルチキャストの二つの技術を利用し、従来とは異なるリクエスト及び配信のメカニズムによってお好みインターネットカラオケ選曲チャンネルと、お楽しみカラオケチャンネルの二つに分けられることを特徴とする、本願の第１考案に記載のインターネットカラオケ選曲装置であることを要旨としている。
【０００９】
また、本願の第３考案は、前記お好みインターネットカラオケ選曲チャンネルには、ＥＰＧサブシステムと、管理サブシステムと、を含み、デジタル・セットトップボックスを起動すると、デジタル・セットトップボックスはネットワークを通じてインターネット・サーバーへ連結すると共に自身のＭＡＣアドレスを伝送し、インターネット・サーバーはこの情報をアプリケーション・サーバーへ導き、アプリケーション・サーバーはこの情報をデータベースに保存することによってユーザーを識別することを特徴とする、本願の第２考案に記載のお好みインターネットカラオケ選曲装置であることを要旨としている。
【００１０】
また、本願の第４考案は、前記ＥＰＧサブシステムには、オンライン・リクエスト手段と、歌いながら選曲し、映像の混合調整を行う手段と、オンライン・チケット注文手段と、歌声ガイドメロディー手段と、キーチェンジ手段と、プレゼント曲リクエスト手段と、を含み、前記歌いながら選曲し、映像の混合調整を行う手段は、アルファブレンディング技術を運用したお好み歌集メニューによってあらわされ、当該手段にはお好み歌曲追加機能とお好み歌曲のダウンロード機能を有し、前記オンライン・チケット注文手段は、商業運営の都合にあわせて、チケット注文モードを設計し、日割り制と、月決め制と、曲単位料金計算制など三つの制度を選択可能な機能を有し、前記歌声ガイドメロディー手段は、ユーザーがリモコンを通じて歌声ガイドやキーチェンジを選択することができる機能を有し、前記プレゼント曲リクエスト手段は、管理サブシステムにおいて、取得した映像を中央管理によって特定の歌曲としてメタデータを作成する機能を有することを特徴とする、本願の第３考案に記載のインターネットカラオケ選曲装置であることを要旨としている。
【００１１】
また、本願の第５考案は、前記カラオケお楽しみチャンネルは、インターネット・マルチキャスト・メカニズムを利用して、すべてのユーザーに同時に同じチャンネルのお楽しみ映像を見せ、すべてのユーザーが共同の歌曲放送リストを擁し、単一のチャンネルで同時に大量のユーザーに対してサービスを行い、或るヒット曲にたいして、多くの人が同時にリクエストした場合、特定のバンドワイズを占用するだけで、インターネットのリソースを十分利用することができることを特徴とする、本願の第２考案に記載のインターネットカラオケ選曲装置であることを要旨としている。
【考案の効果】
【００１２】
本考案は、主としてインターネットカラオケ選曲装置を提供し、ネットワークラインの連結を通じて、ユーザーが自宅においてテレビで選曲及び歌を楽しむことができるようにしている。
お楽しみ映像は直列方式で伝送され、いかなるハードディスク・スペースも使用せず、コンテンツのサプライヤーも映像の海賊版問題を心配する必要がないので、豊富な歌曲を提供して選曲に供え、ユーザーは外出せずに歌を楽しむことができる。
【００１３】
本考案に係るインターネット・カラオケ選曲装置は、ネットワークの連結によっていかなるハードディスクのスペースも使用せず、映像の海賊版問題を心配する必要もなく、ユーザーが自宅でテレビを通じて選曲し、思う存分歌を楽しむことができる。
【考案を実施するための最良の形態】
【００１４】
［実施例］
本考案は、インターネットカラオケ選曲装置であって、デジタル・セットトップボックス１と、赤外線リモートコントローラー７と、ホームページ・サーバー２と、アプリケーション・サーバー３と、直列伝送サーバー４と、データベース５と、を含む。
【００１５】
前記デジタル・セットトップボックス１は、ホームページ・サーバー２及び直列伝送サーバー４とのコミュニケーションを担当し、且つユーザーが入力した信号を受け取り、選曲・キーチェンジ及び自動歌声ガイドメロディーを支援し、コミュニケーションの中枢的役割を果たす。
【００１６】
前記赤外線リモートコントローラー７は、指令を前記デジタル・セットトップボックス１に伝達して選曲・検索記録・チケット注文・プレゼント曲のリクエスト・歌声ガイドメロディー・キーチェンジ等の機能を果たす。
【００１７】
前記ホームページ・サーバー２は、インターネットで前記デジタル・セットトップボックス１から発送されたＨＴＴＰ請求を受け取り、ＨＴＴＰ応答を前記デジタル・セットトップボックス１へ提供し、或いは前記請求をアプリケーション・サーバー３へ導く。
【００１８】
前記アプリケーション・サーバー３は、ホームページ・サーバー２からきた請求を受け取り、要求された情報をデータベース５から取り出し、その内容をインターネットで前記デジタル・セットトップボックス１へ伝送する。
【００１９】
前記直列伝送サーバー４は、前記デジタル・セットトップボックス１からの映像請求を受け取り、映像を直列伝送技術によってデジタル・セットトップボックス１へ伝送し、ユーザーに見せる。
【００２０】
前記データベース５は、ユーザーのデータと、チケット注文記録と、歌曲情報及び選曲記録を保存して、前記アプリケーション・サーバー３からのアクセスに備え、そのデータを保存する。
【００２１】
前記デジタル・セットトップボックス１は、ネットワークラインに連結し、直列伝送サーバー４とホームページ・サーバー２及びアプリケーション・サーバー３と連結してコミュニケーションを行う。
【００２２】
前記アプリケーション・サーバー３は、データベース５と連結することによって、デジタル・セットトップボックス１がアプリケーション・サーバー３を通じてアクセスできるようにする。
【００２３】
デジタル・セットトップボックス１も直列伝送サーバー４とリンクしてカラオケ放送の内容を獲得し、デジタル・セットトップボックス１においてデコーディングした上で放送する。
【００２４】
マイクロホンはデジタル・セットトップボックス１に連結されている。
【００２５】
赤外線リモートコントローラー７によって指令をデジタル・セットトップボックス１へ伝達して選曲・検索記録・チケット注文・プレゼント曲のリクエスト・歌声ガイドメロディー・キーチェンジ等の機能を果たすことができる。
【００２６】
本考案では、お好みカラオケチャンネルと、お楽しみカラオケチャンネルの二つのシステムに分けることができる。それぞれユニキャスト（ｕｎｉｃａｓｔ）及びマルチキャスト（ｍｕｌｔｉｃａｓｔ）の二つの技術を利用する。
【００２７】
お好みカラオケには、ＥＰＧサブシステム３１１１と、管理サブシステムと、を含み、その運営プロセスは、デジタル・セットトップボックス１を起動すると、デジタル・セットトップボックス１がネットワークラインを通じてインターネット・サーバー２へ連結すると共に自身のＭＡＣアドレス２１を伝送し、インターネット・サーバー２はこの情報をアプリケーション・サーバー３へ導き、アプリケーション・サーバー３はこの情報をデータベース５に保存することによってユーザーを識別する。
【００２８】
この後は、コントロール・プログラムによって監視を始める。先ず、チケット注文ページが開かれ、チケット注文するか３１１どうかを選択できる。次にＥＰＧサブシステム３１１１へ入ると、各項のカラオケ機能が現れ、メイン画面上で選択することができる。
【００２９】
ＥＰＧサブシステム３１１１では、ユーザーと最も直接交互作用する各項の機能を提供し、詳細な機能メニューによって表す。
【００３０】
管理サブシステムでは、中央管理モードで、獲得した映像を、特定の歌曲メタデータ６１１として作成する。
このメタデータ６１１には、歌曲番号・歌曲名称・ファイルネーム・ファイル経路・言語・歌手性別・歌手氏名・歌の名前の部首・歌の名前の字画・歌手姓氏族群（エスニック・グループ）・外語族群及び価格が含まれ、更に中央管理者がアプリケーション・サーバー３を通じてこの情報を更新してデータベース５へ入れる。この便利な方式によって、速やかに歌曲の曲目を増やし、数多くのユーザーが同時に歌曲メニューの拡張成果を享受することができるようにする。
【００３１】
カラオケお楽しみチャンネルの応用面での主な運用エレメントは、お好みカラオケと類似しており、ユーザーが歌曲をリクエストすると、歌曲を放送リストの中に加え、且つ歌曲リクエスト回数序列を更新し、放送リストがある特定の数量まで累積すると、例えば五回を例に取ると、アプリケーション・サーバー３が歌曲リクエスト回数序列の中で最も多くリクエストされた歌曲を放送リストの中に割り込み、第六番目に放送すべき歌曲とする。
【００３２】
このメカニズムは、ヒット曲を一層速くチャンネルで放送するためである、なぜなら、ヒット曲の放送は、同じバンドワイズで一層多くの人にサービスすることができるからである。リストの歌曲が十首まで累積すると、更に歌曲リクエスト回数序列の中で二番目に多い歌曲をリストに割り込む、以下これによって類推する。
【００３３】
歌曲放送リストの中に、ユーザーが現在リクエスト中の歌曲が既に存在する場合、もしその曲がまだ放送開始されていないなら、今回の歌曲情報は歌曲放送リストに加えられず、同時にアプリケーション・サーバー３がこの曲の歌曲放送リストにおける現在の位置をユーザーへフィードバックする。もしその曲が既に放送開始されている場合は、その曲を歌曲放送リストの中に割り込む、このようにアレンジすることによって、バンドワイズの資源を十分に利用することができ、ヒット曲のリクエストに対しても、速やかに対応することができる。
【図面の簡単な説明】
【００３４】
【図１】本考案の全体装置の構築図である。
【図２】本考案のお好みカラオケサブシステムの運用プロセス図である。
【図３】本考案のオンライン選曲の運用プロセス図である。
【図４】本考案のお気に入り歌集の操作プロセス図である。
【図５】本考案のオンラインチケット注文のプロセス図である。
【図６】本考案の中央管理モードの略図である。
【符号の説明】
【００３５】
１        デジタル・セットトップボックス
１１      アプリケーション・サーバーへ指令信号を伝送
２        ホームページ・サーバー
３        アプリケーション・サーバー
４        直列伝送サーバー
７        赤外線リモートコントローラー
２１      ＭＡＣアドレスを伝送
３１      プリケーション・サーバーでの検証
３１１    チケット注文するか
３１１１  ＥＰＧメニュー
３１１２  チケット注文メニュー
３２      一般リクエスト
３３      割り込みリクエスト
３４      リクエスト取り消し
３２１    歌曲番号は正しいかチェック
３３１    歌曲番号は正しいかチェック
３４１    歌曲番号がリストにのっているかチェック
３２１１  歌曲リスト入力
３３１１  放送リストのフロントページを割り込む
３４１１  歌曲番号を取り消す
１２      マイ歌集を編集する
１３      マイ歌集にダウンロードする
５        データベース
３５      お気に入り歌集を変更する
３６      お気に入り歌集のリストを取り出す
１４      チケット選択メニュー
１４１    曲単位料金計算
１４２    日割りチケット制
１４３    月決めチケット制
３７      お楽しみ歌曲数の記録
３８      日付記録
３９      月別記録
６１      圧縮
６１１    メタデータ
【図１】
0003129606.tif 000003
【図２】
0003129606.tif 000004
【図３】
0003129606.tif 000005
【図４】
0003129606.tif 000006
【図５】
0003129606.tif 000007
【図６】
0003129606.tif 000008